(57)【要約】【課題】歯科インプラントの上部構造部材をフィクスチャーに対して締結する連結ボルトを最終的に締結したり、歯科インプラントの上部構造部材をフィクスチャーに対して締結している連結ボルトの最初の解除を行うための歯科インプラント用連結ボルト締結装置を提供する。【解決手段】フィクスチャー３の口腔内側係合部3aに回転不能に係合されている上部構造部材４の他方の係合部4bに回転不能に係合される係合部1aを一端に有し、歯科用ハンドピース６のヘッド部6aの外周へ回転不能な状態にヘッド部6aの切削具装着用穴部側から装着保持されるヘッド部装着部1bを他端に有し該両端の間が貫通穴1dを設けられている筒状部1cから成る本体１と、本体１の筒状部1cの貫通穴1dを貫通して一端が歯科用ハンドピース６のヘッド部6aにチャッキングされ他端が連結ボルト５の頭部に係合する係合部2aを成しているドライバー２とで構成する。【選択図】        図３
2004202049.tif 000002
【特許請求の範囲】
【請求項１】
歯科インプラントの上部構造部材(４)をフィクスチャー(３)に対して締結する連結ボルト(５)を最終的に締結したり、歯科インプラントの上部構造部材(４)をフィクスチャー(３)に対して締結している連結ボルト(５)の最初の解除を行うための歯科インプラント用連結ボルト締結装置であって、フィクスチャー(３)に対して回転不能に係合されている上部構造部材(４)に回転不能に係合される係合部(1a)を一端に有し、歯科用ハンドピース(６)のヘッド部(6a)の外周へ該ヘッド部(6a)に対して回転不能な状態に該ヘッド部(6a)の切削具装着用穴部側から装着保持されるヘッド部装着部(1b)を他端に有し該両端の間が貫通穴(1d)を設けられている筒状部(1c)から成る本体(１)と、該本体(１)の筒状部(1c)の貫通穴(1d)を貫通して一端が歯科用ハンドピース(６)のヘッド部(6a)にチャッキングされ他端が連結ボルト(５)の頭部に係合する係合部(2a)を成しているドライバー(２)とから成ることを特徴とする歯科インプラント用連結ボルト締結装置。
【請求項２】
本体(１)のヘッド部装着部(1b)が、歯科用ハンドピース(６)のヘッド部(6a)と該ヘッド部(6a)に続く把持部側連結部(6b)の境界部分(6c)に嵌入されるＵ字状の開口部(1e)が設けられているヘッド部装着部(1b)である請求項１に記載の歯科インプラント用連結ボルト締結装置。
【請求項３】
本体(１)のヘッド部装着部(1b)が、歯科用ハンドピース(６)のヘッド部(6a)の外周へ装着される部位に開口側端側から設けられた２本の平行なスリット(1g，1g)によって板バネ体(1f)が形成され、該板バネ体(1f)の開口側端部の内側に突起状摩擦部(1h)が設けられているヘッド部装着部(1b)である請求項１又は２に記載の歯科インプラント用連結ボルト締結装置。
【発明の詳細な説明】
【０００１】
【発明の属する技術分野】
本発明は、通常歯科インプラントと略称されている歯科用補綴物維持装置において欠如歯部の顎骨内に形成された埋入孔内に埋入して固定されるフィクスチャーに対して歯科用ハンドピースを用いて連結ボルトにてインプラントの所定の上部構造部材を最終的に所定トルクで締結したり、フィクスチャーに対して締結されている上部構造部材を撤去するために歯科用ハンドピースを用いて連結ボルトを緩める際に、連結ボルトに作用する回転トルクがフィクスチャーへ伝達されるのを阻止し得る歯科インプラント用連結ボルト締結装置に関するものである。
【０００２】
【従来の技術】
従来、欠如歯部における歯科補綴法としては、ブリッジによる方法と、床義歯による方法とが一般に行われてきた。
しかしながら、ブリッジによる方法は、欠如歯部の両側の健全な天然歯を切削して支台とし、この支台に係合固定される金属体間に欠如歯部に位置する歯科用補綴物を固設する方法であるので、支台を形成するために健全な天然歯を切削しなければならないばかりか、欠如歯部に位置する歯科用補綴物部分には咬合圧が直接には加わらないために当該部位で骨吸収を引き起こすという欠点があった。
また、床義歯による方法は、合成樹脂等で作成した義歯床に義歯を固定したものを歯科用補綴物とする方法であるが、この方法では歯科用補綴物に作用する咬合力をその床義歯に隣接する残存天然歯及び／又は口腔粘膜によって負担させるものであるので、歯科用補綴物使用中に違和感があることや、口腔粘膜組織中に散在する味覚の受容器を義歯床が覆ってしまうことによる味覚の鈍麻が生じることがあり、更には長期間の使用によって顎堤の吸収を引き起こすという重大な欠点があった。
【０００３】
そこでこれらの欠点を解消する治療方法として、欠如歯部の顎骨内に形成した埋入孔内に歯科用補綴物の維持安定装置となるフィクスチャーを埋入して天然歯における歯根の機能を代行せしめ、このフィクスチャーの口腔内側に直接固定される第一の上部構造部材であるアバットメントに第二の上部構造部材である歯科用補綴物の固定装置を固定して歯科用補綴物維持装置とし、この歯科用補綴物の固定装置に歯科用補綴物を固定する歯科インプラントの技術が開発され、実施されるようになってきている。
【０００４】
このような歯科インプラントによる治療方法を実施すると、口腔粘膜を覆うことなく歯科用補綴物を固定することができるので、歯科用補綴物装着時の違和感や味覚の鈍麻が生じることがなく、天然歯に似た使用感が得られ、更に顎骨に適度な咬合力が付与されるためにフィクスチャーが埋入されていない場合に想定される骨吸収を最小限に抑制できるという利点があるため、この治療方法は急速な発展を遂げて単独歯欠損，２歯以上の局部欠損のみならず、無歯顎（全歯欠損）に至るまでに適用できるようになってきている。
【０００５】
この歯科インプラントによる治療方法としては、欠如歯部の顎骨内に形成された埋入孔内に埋入されたフィクスチャーの口腔内側をカバースクリューにて覆った後に切開した歯肉弁を元に戻して一定の治癒期間を設け、この間にフィクスチャーとその周囲の骨が結合するいわゆる「骨結合」が果たされてフィクスチャーが欠如歯部の顎骨に充分に結合し且つ埋入孔を形成したことによる手術部分が治癒したら、そのフィクスチャーが埋入された口腔内側の歯肉部分を再度切開してカバースクリューを撤去すると共にフィクスチャーの口腔内側部分にヒーリングアバットメントを装着して歯肉から歯科用補綴物の固定装置の取付部分となる第一の上部構造部材であるアバットメントを固定するための穴を確保し、歯肉の治癒を待ってアバットメントを固定する２回法と称する方法が主として採用されていた。
【０００６】
一方、欠如歯部の顎骨内に形成された埋入孔内にフィクスチャーを埋入した後、直ちにフィクスチャーの口腔内側部分にヒーリングアバットメント又はアバットメントを装着し、２回目のアバットメントの露出手術を経ない１回法と称する方法も採用されるようになってきている。この１回法は、術式及び装置等の発展を背景として成功率の向上がみられ、患者及び術者の負担が軽減される点から近年多く採用される傾向にある。この１回法においては、その後アバットメントの口腔内側に歯科用補綴物が装着されて機能を果たし、フィクスチャーに結合する骨及びその周囲の骨は引き続き行われる骨のリモデリングによって長期間に亘りフィクスチャーを固定するのである。
【０００７】
このような歯科インプラントによる治療方法においては、各段階でフィクスチャーの口腔内側に種々の上部構造部材が固定又は撤去されるが、これには連結ボルトの締結又は解除を伴うため、その度にフィクスチャーは回転トルクの作用を受けることになる。しかしながら過大な回転トルクがフィクスチャーに作用すると、フィクスチャーが回転して骨結合獲得以前では骨結合の未獲得に陥ったり、また獲得された後でも骨結合状態を破壊する要因になることが知られており、この作業は注意を要する作業とされていた。
【０００８】
このような連結ボルトの締結又は解除は、従来手動用のスパナやドライバーを使用して行われていたが、連結ボルトの締結においては締結トルクが過大であるとネジの噛み付きや破壊が生じ、過小であるとフィクスチャーに上部構造部材が確実に固定されないため、適切な回転トルクが必要であるが手動用のスパナやドライバーを使用して適切な回転トルクで連結ボルトの締結を行うには高度な熟練を必要とするという欠点があった。また、連結ボルトの解除においては解除の初期に大きな回転トルクが必要であるので術者にかかる負担が大きいという欠点があった。
そこで、治療時間の短縮や術者の負担を軽減するために歯科用ハンドピースを使用することが提案され、歯科用ハンドピースのチャック部にチャッキングされて回転せしめられるスパナやレンチにより連結ボルトの締結や解除を行う方法が提案されている。
【０００９】
しかしながら、このように歯科用ハンドピースのチャック部にチャッキングされて回転せしめられるスパナやレンチによって連結ボルトの締結又は解除を行う際に、フィクスチャーに過度な回転トルクが作用すると、骨結合獲得以前では骨結合の未獲得に陥ったり、また獲得された後でも骨結合状態を破壊する要因になるため、フィクスチャーへの回転トルクの伝達を阻止する手段が必要である。このフィクスチャーへの回転トルクの伝達を阻止する手段は、一端がアバットメントを介してフィクスチャーに係合し、他端が歯科用ハンドピースに係合しており、且つ歯科用ハンドピースのチャック部にチャッキングされて回転せしめられるスパナやレンチの軸方向に移動自在な部材でなければならず、しかも歯科用ハンドピースのチャック部にチャッキングされて回転せしめられるスパナやレンチの回転軸と一端がアバットメントを介してフィクスチャーに係合し且つ他端が歯科用ハンドピースに係合する部材との位置関係が正しく規定されていなければならない。
【００１０】
このような要求を満たすものとして、フィクスチャーに関して回転しないように錠止される管状でその内部を歯科用ハンドピースにチャッキングされるねじ回し工具が摺動状態で移動回転できるように嵌合されて貫通される第１部分とこの第１部分に堅く接続されたアームの形をした第２部分とからなりこの第２部分が本質的に第１部分から垂直に延びそして歯科用ハンドピースの首部に係合されるＵ字状形フォークであるホルダ（例えば、特許文献１参照）がある。
【００１１】
しかしながら、このホルダは第１部分と第２部分とが一体化されており第２部分のＵ字状形フォークが歯科用ハンドピースの首部に係合される構造であるので、Ｕ字状形フォークの内側間隔と歯科用ハンドピースの首部の外径との間隙に起因して第１部分がフィクスチャーに対して傾斜し得るため、第１部分に摺動状態で移動回転できるように嵌合されて貫通されるねじ回し工具に曲げ力が作用するので、歯科用ハンドピースのヘッド部内のチャック部の損傷及びベアリングの芯ブレ精度等への影響を及ぼす虞があるばかりか、第２部分が歯科用ハンドピースの口腔内側に沿って延在することになるので締結又は解除を行おうとする連結ボルトが存在する部位の確認の邪魔になり、また締結又は解除を行おうとする連結ボルトの手前に歯列等がある場合には第２部分が障害物として働くことになり、更に第２部分のＵ字状形フォークは歯科用ハンドピースの首部に係合されるだけで維持機能がないため脱落し易い等の欠点もあった。
【００１２】
そこで、前記ホルダにおける第１部分と第２部分とを分離し、第２部分は板バネを設けて歯科用ハンドピースの首部から脱落しないように保持されるようにすると共に第１部分の回転を防止するピンを垂下し得る構成とし、第１部分はフィクスチャーに係合しているアバットメントに係合する係合部が設けられており歯科用ハンドピースのヘッド部内のチャック部へチャッキングされたシャフトの軸方向に摺動状態で外嵌されるアバットメント係合用部材とこのアバットメント係合用部材に外嵌されされた後に固定されるアバットメント保持部材とで構成しアバットメント係合用部材が第２部分から垂下されたピンに当接すると第１部分が所定方向へ回転できなくなる歯科用インプラントアバットメント装着用治具（例えば、特許文献２参照）が提案されている。
【００１３】
この歯科用インプラントアバットメント装着用治具は前記ホルダの欠点が大幅に改良されたものではあるが、その構造が複雑であり、その操作が面倒であるという欠点があった。
【００１４】
【特許文献１】
特許第２６３９４０８号公報
【特許文献２】
特開２０００−２４００５号公報
【００１５】
【発明が解決しようとする課題】
本発明者らは、前記従来のホルダや歯科用インプラントアバットメント装着用治具について種々検討した結果、連結ボルトの締結や解除を行う際、特に連結ボルトの締結を行う際に、最初から歯科用ハンドピースの回転トルクを利用することを意図したものであるため、フィクスチャーへの回転トルクの伝達を阻止する手段が歯科用ハンドピースに係止されているにも拘らず歯科用ハンドピースのチャック部にチャッキングされて連結ボルトの締結や解除を行うために回転せしめられるスパナやレンチはフィクスチャーへの回転トルクの伝達を阻止する手段に対して相対的にその軸方向に移動自在でなければならないことに起因して種々の欠点が生じていたことを究明した。
そこで、本発明は、歯科用ハンドピースの回転トルクを連結ボルトの最終的な締結や最初の解除にのみ使用することによって、簡単な構造であるにも拘らず、連結ボルトでフィクスチャーに上部構造部材を締結する際には適切な回転トルクで確実に固定できると共に、上部構造部材を締結していた連結ボルトの解除を行う際には連結ボルトの解除を行うのに必要な大きな回転トルクをスパナやドライバーに作用させることが容易な歯科インプラント用連結ボルト締結装置を提供することを課題とする。
【００１６】
【課題を解決するための手段】
本発明者らは前記課題を解決すべく鋭意研究の結果、歯科インプラントの上部構造部材をフィクスチャーに対して締結する連結ボルトを最終的に締結したり、歯科インプラントの上部構造部材をフィクスチャーに対して締結している連結ボルトの最初の解除を行ったりするだけの歯科インプラント用連結ボルト締結装置であれば、フィクスチャーに対して回転不能に係合されている上部構造部材に回転不能に係合される係合部を一端に有する本体を歯科用ハンドピースのヘッド部の外周へ該ヘッド部に対して回転不能な状態に装着保持させ、連結ボルトに係合して回転トルクを付与するドライバーは一端が歯科用ハンドピースのヘッド部にチャッキングされて前記本体内で回転するだけで前記本体の貫通穴内でその貫通穴の軸方向に移動し得ない構造で済むため簡単な構造で安価で取扱いも容易であるあることを究明した本発明を完成したのである。
【００１７】
即ち本発明は、歯科インプラントの上部構造部材をフィクスチャーに対して締結する連結ボルトを最終的に締結したり、歯科インプラントの上部構造部材をフィクスチャーに対して締結している連結ボルトの最初の解除を行うための歯科インプラント用連結ボルト締結装置であって、フィクスチャーに対して回転不能に係合されている上部構造部材に回転不能に係合される係合部を一端に有し、歯科用ハンドピースのヘッド部の外周へ該ヘッド部に対して回転不能な状態に該ヘッド部の切削具装着用穴部側から装着保持されるヘッド部装着部を他端に有し該両端の間が貫通穴を設けられている筒状部から成る本体と、該本体の筒状部の貫通穴を貫通して一端が歯科用ハンドピースのヘッド部にチャッキングされ他端が連結ボルトの頭部に係合する係合部を成しているドライバーとから成ることを特徴とする歯科インプラント用連結ボルト締結装置である。
【００１８】
そして、本体のヘッド部装着部が、歯科用ハンドピースのヘッド部と該ヘッド部に続く把持部側連結部の境界部分に嵌入されるＵ字状の開口部が設けられているヘッド部装着部であれば、歯科用ハンドピースのヘッド部の外周へヘッド部に対して回転不能な状態にヘッド部の切削具装着用穴部側から装着保持させることが容易であり、本体のヘッド部装着部が、歯科用ハンドピースのヘッド部の外周へ装着される部位に開口側端側から設けられた２本の平行なスリットによって板バネ体が形成され、該板バネ体の開口側端部の内側に突起状摩擦部が設けられていれば、本体のヘッド部装着部が歯科用ハンドピースのヘッド部から脱落するのを簡単な構造で確実に防止できることも究明したのである。
【００１９】
【発明の実施の形態】
以下、図面により本発明に係る歯科インプラント用連結ボルト締結装置について詳細に説明する。
図１は本発明に係る歯科インプラント用連結ボルト締結装置の本体の１実施例を示す斜視図、図２は図１に示した本発明に係る歯科インプラント用連結ボルト締結装置の本体が歯科用ハンドピースのヘッド部に装着されている状態を示す斜視説明図、図３は本発明に係る歯科インプラント用連結ボルト締結装置を使用して歯科インプラントの上部構造部材であるアバットメントをフィクスチャーに連結ボルトで最終的に締結している状態を示す説明図である。
【００２０】
図面中、１は歯科インプラントの上部構造部材（図３に示した実施例ではアバットメント）４をフィクスチャー３に対して締結する連結ボルト（図３に示した実施例ではアバットメントスクリュー）５を最終的に締結したり、最初の解除を行うための本発明に係る歯科インプラント用連結ボルト締結装置の主要部を構成する本体である。この本体１は、フィクスチャー３の口腔内側に設けられている係合部3a（図３に示した実施例では六角柱状部）にフィクスチャー側係合部（図３に示した実施例では六角柱状凹部）4aで回転不能に係合されている上部構造部材４の他方の係合部（図３に示した実施例では口腔内側に設けられている六角柱状部）4bに回転不能に係合される係合部（図示した実施例では六角柱状凹部）1aを一端に有し、歯科用ハンドピース６のヘッド部6aの外周へそのヘッド部6aに対して回転不能な状態にヘッド部6aの切削具装着用穴部側から装着保持されるように前記係合部1aと反対側に開口部が設けられているヘッド部装着部1bを他端に有し、これら両端の間が貫通穴1dを設けられている筒状部1cとから成っている。また図示しないが、係合部1aは上部構造部材４に設けられている角柱状凹部から成る他方の係合部4b内に係合するように筒状部1cの外面に設けられていてもよい。
【００２１】
この本体１のヘッド部装着部1bは、歯科用ハンドピース６のヘッド部6aとそのヘッド部6aに続く把持部側連結部6bの境界部分6cに嵌入されるＵ字状の開口部1eが設けられていれば、歯科用ハンドピース６のヘッド部6aの外周へそのヘッド部6aに対して回転不能な状態にヘッド部6aの切削具装着用穴部側から確実に装着されるので好ましいが、歯科用ハンドピース６のヘッド部6aの外周の横断面形状が円形でない場合には歯科用ハンドピース６のヘッド部6aの外周の横断面形状に略合致する内面形状を有していればよい。また歯科用ハンドピース６のヘッド部6aの外周へ装着される部位に開口側端側から設けられた２本の平行なスリット1g，1gによって板バネ体1fが形成されその板バネ体1fの開口側端部の内側に突起状摩擦部1hが別部材を固着されたり一体に形成されたりして設けられていると、歯科用ハンドピース６のヘッド部6aの外周へそのヘッド部6aに対して回転不能な状態にヘッド部6aの切削具装着用穴部側から確実に装着保持されるので好ましい。尚、図示しないが本体１のヘッド部装着部1bの開口側端の一部に歯科用ハンドピース６のヘッド部6a端面に当接されるように折り曲げられる係止部材が設けられていてもよい。
【００２２】
２は本発明に係る歯科インプラント用連結ボルト締結装置の他方の部材であり、前記本体１の筒状部1cの貫通穴1dを貫通して一端が歯科用ハンドピース６のヘッド部6aにチャッキングされ他端が連結ボルト５の頭部に設けられている角柱状や角穴状やプラスネジ穴状やマイナスネジ用スリ割状などの係合部5aと係合する係合部2aを成しているドライバーである。
【００２３】
かかる本発明に係る歯科インプラント用連結ボルト締結装置を使用して、歯科インプラントの上部構造部材４であるアバットメントをフィクスチャー３に連結ボルト５であるアバットメントスクリューで最終的に締結する場合の操作について説明する。
【００２４】
先ず、欠如歯部の顎骨内に形成された埋入孔内に埋入されたフィクスチャー３の口腔内側に突設されている係合部3aに上部構造部材４であるアバットメントの口腔内側と反対側に位置するフィクスチャー側係合部4aを係合するように載置した後、アバットメント４の他方の係合部4bをレンチ状等の工具（図示せず）で保持してアバットメント４が回転しないように保持しておいて、連結ボルト５をアバットメント４の中央に貫通して穿設されている貫通穴を貫通させてフィクスチャー３の中央に螺設されているメネジに手作業で螺入させる。
【００２５】
かくして連結ボルト５のフィクスチャー３への螺入に要する力が大きくなったら、他端が連結ボルト５の頭部に係合する係合部2aを成しているドライバー２の端部を歯科用ハンドピース６のヘッド部6aの切削具装着用穴部にチャッキングさせた後に、ドライバー２が筒状部1cの貫通穴1dを貫通するように歯科用ハンドピース６のヘッド部6aの切削具装着用穴部側から本体１を歯科用ハンドピース６のヘッド部6a側に移動させて歯科用ハンドピース６のヘッド部6aの外周へヘッド部6aに対して回転不能な状態にヘッド部装着部1bを装着保持させる。この操作は、本体１のヘッド部装着部1bが図示した実施例のように歯科用ハンドピース６のヘッド部6aとそのヘッド部6aに続く把持部側連結部6bの境界部分6cに嵌入されるＵ字状の開口部1eが設けられているヘッド部装着部1bであれば、Ｕ字状の開口部1eが歯科用ハンドピース６のヘッド部6aとそのヘッド部6aに続く把持部側連結部6bの境界部分6cに嵌入されることによって歯科用ハンドピース６のヘッド部6aに対して回転不能な状態に装着されることになり、また本体１のヘッド部装着部1bが歯科用ハンドピース６のヘッド部6aの外周へ装着される部位に開口側端側から設けられた２本の平行なスリット1g，1gによって板バネ体1fが形成され、この板バネ体1fの開口側端部の内側に突起状摩擦部1hが設けられていると板バネ体1fによって歯科用ハンドピース６のヘッド部6aの外周へ押圧される部分に設けられている突起状摩擦部1hの摩擦力によって本体１のヘッド部装着部1bが歯科用ハンドピース６のヘッド部6aから脱落しないように保持されるのである。
【００２６】
しかる後に本体１の筒状部1cの端部に設けられている係合部1aをフィクスチャー３に回転不能に係合されている上部構造部材４の他方の係合部4bに係合させると共に、フィクスチャー３に回転不能に係合されている上部構造部材４の中央に貫通して穿設されている貫通穴を貫通させてフィクスチャー３に螺入されている連結ボルト５の係合部5aにドライバー２の係合部2aを係合させ、歯科用ハンドピース６を駆動させて連結ボルト５がそれ以上回転しなくなる状態にすれば連結ボルト５はフィクスチャー３に所定のトルクで上部構造部材４の締結を完了することができるのである。この際、連結ボルト５はその締結によりフィクスチャー３側に僅かに移動するが、本体１の筒状部1cの端部に設けられている係合部1aはこの移動量を吸収できる深さ又は長さを有しているので、本体１の筒状部1cの端部に設けられている係合部1aと上部構造部材４の口腔内側係合部4bとの係合が離脱することはない。
【００２７】
以上の説明は連結ボルト５の締結についての説明であるが、連結ボルト５の解除の場合は以上の説明の逆の操作を行えばよく、この場合連結ボルト５の解除に必要な大きな回転トルクは歯科用ハンドピース６により与えられるので、術者の負担が著しく軽減されるのである。
【００２８】
また、以上の説明は上部構造部材４がアバットメントで、連結ボルト５がアバットメントスクリューである場合について行ったが、上部構造部材４がゴールドシリンダーで、連結ボルト５がゴールドスクリューである場合にも本発明装置は適用できる。
【００２９】
【発明の効果】
以上に詳述した如く、本発明に係る歯科インプラント用連結ボルト締結装置は、連結ボルトの締結や解除を行う際に、最初から歯科用ハンドピースの回転トルクを利用するのではなく、歯科用ハンドピースの回転トルクを連結ボルトの最終的な締結や最初の解除にのみ使用することを意図したものとしたため、フィクスチャーへの回転トルクの伝達を阻止する手段と歯科用ハンドピースのチャック部にチャッキングされて連結ボルトの締結や解除を行うために回転せしめられるドライバーとの相対的な移動に対する配慮が不要であるため、構造が簡単で安価に製造できるばかりでなく、連結ボルトが存在する部位の確認の邪魔になるような部分もなく、更に操作も容易であり、その歯科分野に貢献する価値の非常に大きなものである。
【図面の簡単な説明】
【図１】本発明に係る歯科インプラント用連結ボルト締結装置の本体の１実施例を示す斜視図である。
【図２】図１に示した本発明に係る歯科インプラント用連結ボルト締結装置の本体が歯科用ハンドピースのヘッド部に装着されている状態を示す斜視説明図である。
【図３】本発明に係る歯科インプラント用連結ボルト締結装置を使用して歯科インプラントの上部構造部材であるアバットメントをフィクスチャーに連結ボルトで最終的に締結している状態を示す説明図である。
【符号の説明】
１  本体
1a  係合部
1b  ヘッド部装着部
1c  筒状部
1d  貫通穴
1e  Ｕ字状の開口部
1f  板バネ体
1g  スリット
1h  突起状摩擦部
２  ドライバー
2a  係合部
３  フィクスチャー
3a  係合部
４  上部構造部材（アバットメント）
4a  フィクスチャー側係合部
4b  他方の係合部
５  連結ボルト（アバットメントスクリュー）
5a  係合部
６  歯科用ハンドピース
6a  ヘッド部
6b  把持部側連結部
6c  境界部分
【図１】
2004202049.tif 000003
【図２】
2004202049.tif 000004
【図３】
2004202049.tif 000005